(57)【要約】【課題】  構造が簡単で、加工性、組付性、経済性に優れ、重量も軽く、その上で、簡単に展張した防虫網をビニールハウス内に引き込むことが出来る牽引部材を備えたビニールハウスの換気装置を提供すること。【解決手段】  ビニールハウスＡにおける屋根面、側面又は妻面に形成した開口部Ｂを囲む開口枠１と、上記開口枠１の基端に枢着されて上記開口部Ｂを開閉する窓枠２と、上記開口枠１の先端及ぶ側端と上記窓枠２の先端及び側端との間に配設されて上記開口部Ｂを包囲する防虫網とを備えたビニールハウスにおける換気装置において、上記開口枠１の基端側に設けた取付け部材６と上記防虫網３との間に常時当該防虫網を上記開口枠１の内側に引き込む牽引部材４を架設した。【選択図】  図１
0003124050.tif 000002
【実用新案登録請求の範囲】
【請求項１】
ビニールハウスＡにおける屋根面、側面又は妻面に形成した開口部Ｂを囲む開口枠１と、上記開口枠１の基端に枢着されて上記開口部Ｂを開閉する窓枠２と、上記開口枠１の先端及ぶ側端と上記窓枠２の先端及び側端との間に配設されて上記開口部Ｂを包囲する防虫網３とを備えたビニールハウスにおける換気装置において、上記開口枠１の基端側に設けた取付け部材６と上記防虫網３との間に常時当該防虫網３を上記開口枠１の内側に引き込む牽引部材４を架設したことを特徴とするビニールハウスの換気装置。
【請求項２】
牽引部材４が伸縮自在なゴム紐又はコイルスプリング２２からなる請求項１のビニールハウスの換気装置。
【請求項３】
牽引部材４が紐又はワイヤ２０と、この紐又はワイヤ２０に連結したゴム紐又はコイルスプリング２１とからなる請求項１のビニールハウスの換気装置。
【請求項４】
牽引部材４が先端に設けた連結部材５を介して防虫網３の中央又はほぼ中央に結合されている請求項１、２,又は３のビニールハウスにおける換気装置。
【請求項５】
連結部材５が二股状の挟持片５Ａ、５Ｂと、一方の挟持片５Ａに設けた一つ又は複数のフック７と、他方の挟持片５Ｂに形成されて上記フック７に対向する係止孔８とからなり、防虫網３の中央又はほぼ中央を上記二股状の挟持片５Ａ，５Ｂで挟持しながら上記フック７を係止孔８に嵌合して防虫網３を保持している請求項４のビニールハウスの換気装置。
【請求項６】
連結部材５が開口部巾狭の蟻溝フレーム１４と、蟻溝フレーム１４内に嵌合する弾性係止線条１５と、上記蟻溝フレーム１４に着脱自在に楔１３を介して結合するジョイント１２とからなり、係止線条１５を介して防虫網３の中央又はほぼ中央を蟻溝フレーム１４内に嵌合して定着させ、この状態で蟻溝フレーム１４を上記ジョイント１２に楔１３を介して結合させる請求項４のビニールハウスの換気装置。
【請求項７】
牽引部材４の基端がビニールハウスの骨組を構成するパイプ６Ａからなる連結部材６に着脱自在に結合している請求項１，２，３，４，５又は６のビニールハウスの換気装置。
【考案の詳細な説明】
【技術分野】
【０００１】
本考案は、温室たるビニールハウスの屋根面,側面、妻面に設けられ、開閉操作することにより、ビニールハウス内の温度、湿度を調節する換気装置に関し、特に開口部を包み込んで害虫が侵入したり、室内の蜜蜂等が外部に逃げたりするのを防止する防虫網を備えた換気装置に関する。
【背景技術】
【０００２】
一般に、野菜，果実、花等の植物を育成し，栽培する温室たるビニールハウスでは、その屋根面，側面又は妻面に換気装置を設け、この換気装置を開閉して外気を導入し、又は室内の空気を排出して、室内の温度、湿度を植物の育成に最適な状態に調整している。
【０００３】
しかしながら、換気装置を開くと、ハウス外の害虫が侵入して育成中の植物を食い荒らしたり、逆にハウス内に飼育している蜜蜂が外部に逃げ出したりしてしまう恐れがある。
【０００４】
そこで、最近、換気装置に防虫用の網を配設して虫が侵入したり、逃げ出したりするのを防止するする工夫がなされている。
【０００５】
しかしながら、この防虫用網は、展張の仕方によって、換気装置の窓枠を閉じた特、この窓枠の外側にはみ出てしまう場合があり、その結果、風雨に晒されて長期間の使用中に破損したり、汚れたりする場合があり、ビニールハウスの外観も損なうものである。
【０００６】
そこで、特許文献１および特許文献２に示すように、換気装置に展設した防虫用の網を当該換気装置の窓枠を閉じたとき必ずハウス内に引き込む装置が開発されている。
【特許文献１】登録実用新第３０８１５９９号公報（図１、請求項２参照）
【特許文献２】特開２００６−１０１７７２号公報
【考案の開示】
【考案が解決しようとする課題】
【０００７】
上記特許文献１に示す換気装置は、防虫網の前面部を部分的に支えて常時天窓の回動軌跡外にはみだすのを防止する保持手段を設けたものである。
【０００８】
そして、この保持手段は、防虫網の前面部の中間に添って横方向に設けた中間保持フレームと、この中間保持フレームを支持して防虫網の中間部分が常時天窓の回道軌跡外にはみ出すのを防止する支持部材とからなるもであるため、構造が複雑で、組付性、経済性において不利である。
【０００９】
同じく、特許文献２に示す換気装置は、防虫ネットの外面側に折り畳自在なネット案内規制部材を設け、換気窓が開放されるとき防虫ネットを伸長し、換気窓が閉塞されるとき防虫ネットを温室内方に折り畳むようにしたものである。
【００１０】
このため、上記のネット案内規制部材の構造が複雑であり、組付性、経済性に劣り、換気装置の重量が重くなる不具合がある。
【００１１】
そこで、本考案の目的は、構造が簡単で、加工性、組付性、経済性に優れ、重量も軽く、その上で、簡単に展張した防虫網をビニールハウス内に引き込むことが出来る牽引部材を備えたビニールハウスの換気装置を提供することである。
【課題を解決するための手段】
【００１２】
上記の目的を達成するため、本考案の手段は、ビニールハウスにおける屋根面、側面又は妻面に形成した開口部を囲む開口枠と、上記開口枠の基端に枢着されて上記開口部を開閉する窓枠と、上記開口枠の先端及ぶ側端と上記窓枠の先端及び側端との間に配設されて上記開口部を包囲する防虫網とを備えたビニールハウスにおける換気装置において、上記開口枠の基端側に設けた取付け部材と上記防虫網との間に常時当該防虫網を上記開口枠の内側に引き込む牽引部材を架設したことを特徴とするものである。
【００１３】
この場合、牽引部材が伸縮自在なゴム紐又はコイルスプリングからなるのが好ましい。
【００１４】
同じく、牽引部材が紐又はワイヤと、この紐又はワイヤに連結したゴム紐又はコイルスプリングとからなるものであっても良い。
【００１５】
同じく、牽引部材が先端に設けた連結部材を介して防虫網の中央又はほぼ中央に結合されていても良い。
【００１６】
この場合、連結部材が二股状の挟持片と、一方の挟持片に設けた一つ又は複数のフックと、他方の挟持片に形成されて上記フック７に対向する係止孔とからなり、防虫網の中央又はほぼ中央を上記二股状の挟持片で挟持しながら上記フックを係止孔に嵌合して防虫網を保持しても良い。
【００１７】
同じく、連結部材が開口部巾狭の蟻溝フレームと、蟻溝フレーム内に嵌合する弾性係止線条と、上記蟻溝フレームに着脱自在に楔を介して結合するジョイントとからなり、係止線条を介して防虫網の中央又はほぼ中央を蟻溝フレーム内に嵌合して定着させ、この状態で蟻溝フレームを上記ジョイントに楔を介して結合させるようにしても良い。
【００１８】
上記各手段において、牽引部材の基端がビニールハウスの骨組を構成するパイプからなる連結部材に着脱自在に結合しているのが好ましい。
【考案の効果】
【００１９】
各請求項の考案によれば、牽引部材が常に防虫網を開口枠の内側に引き込んでいるから、窓枠を閉じたときでもこの牽引部材に防虫網が内側に引き込まれ、開口枠の外にはみ出すのが防止され、その結果、防虫網が風雨に晒されて、破損したり、汚れたり、飛んだりするのが防止され、ビニールハウスの外観を損なうのも防止できる。
【００２０】
各請求項の牽引部材は、単一部材で構成されたり、あるいは、直列に連結した少ない部材で構成されたりしているから、部品点数が少なく、構造が簡単であり、加工性、組付性、経済性に優れ、重量も軽い。
【００２１】
また、上記のように重量が軽いことに鑑みて、防虫網に対する負荷が少なく、防虫網の耐久性に悪影響を与えない。
【００２２】
更に、牽引部材は自ら防虫網を引き込むものであるから、防虫網を内側に引き込む特別の他の手段を必要とせず、ビニールハウスの施工に余分な費用を掛けないで済む。
【考案を実施するための最良の形態】
【００２３】
以下、本考案の実施の一例を図に基づいて説明するが、図１乃至４は、本考案の一実施の一例に係わるビニールハウスの換気装置を示すものである。
【００２４】
この換気装置は、従来と同じく、ビニールハウスＡにおける屋根面、側面又は妻面に形成した開口部Ｂを囲む開口枠１と、上記開口枠１の基端１Ａ側に基端２Ａが枢着されて上記開口部Ｂを開閉する窓枠２と、上記開口枠１の先端１Ｂ及ぶ側端１Ｃと上記窓枠２の先端２Ｂ及び側端２Ｃとの間に配設されて上記開口部Ｂを包囲する防虫網３とを備えている。
【００２５】
そして、本考案では、上記開口枠１の基端１Ａ側背部に設けた取付け部材６と上記防虫網３との間に常時当該防虫網３を上記開口枠１の内側に引き込む牽引部材４を架設している。
【００２６】
このため、図２（ａ）に示すように、窓枠２を開いたときでも、牽引部材４により、防虫網３は、開口枠１の内側に引っ張り込まれており、この状態で、図２（ｂ）に示すように窓枠２を下降して閉じた時でも防虫網３は開口枠１の外側にはみ出すのが防止される。
【００２７】
牽引部材４は、伸縮自在な単純なゴム紐でも良く、又は図７に示すように両端にフック９，１０を備えたコイルスプリング２２、その他同様の弾性部材であっても良い。
【００２８】
同じく、牽引部材４は、図８に示すように、紐又はワイヤ２０と、この紐又はワイヤ２０に連結したゴム紐又はコイルスプリング２１と、両端のフック９，１０からなるものでも良い。
【００２９】
更に、牽引部材４は、図１に示すようにその先端に設けた連結部材５を介して防虫網３の中央又はほぼ中央に結合させても良い。
【００３０】
この、連結部材５は、防虫網３に結合するものであれば、フック状の金具、単純な針がね、クリップ、その他の公知の止め具であっても良いが、防虫網３を確実に結合できるものとして、一つの実施の形態が図３，図４に示されている。
【００３１】
この連結部材５は、二股状の挟持片５Ａ，５Ｂと、一方の挟持片５Ａに設けた一つ又は複数の引っ掛け部部を備えた突起状のフック７と、他方の挟持片５Ｂに形成されて上記フック７に対向する係止孔８とからなるものである。
【００３２】
この連結部材５によれば、防虫網３の中央又はほぼ中央を上記二股状の挟持片５Ａ，５Ｂで挟持しながら上記フック７を防虫網３の網目を貫通させながら係止孔８に嵌合して防虫網３を保持している。
【００３３】
更に、他の実施の一例にかかわる連結部材５が図５，図６に示されているが、この連結部材５は、開口部巾狭の蟻溝フレーム１４と、蟻溝フレーム１４内に嵌合する弾性係止線条１５と、上記蟻溝フレーム１４に着脱自在に楔１３を介して結合するジョイント１２とからなるものである。
【００３４】
ジョイント１２は、二股状の本体１６と、本体１２の一側に形成した開口部１９と、開口部１９を規制する一対の爪１７，１８とからなるものである。
【００３５】
この連結部材５によれば、係止線条１５を介して防虫網３の中央又はほぼ中央を蟻溝フレーム１４内に嵌合して定着させ、この状態で蟻溝フレーム１４を上記ジョイント１２の開口部１９に挿入し、同じく開口部１９内に挿入した楔１３と二つの爪１７，１８で胴部を挟持するものである。
【００３６】
尚、上記各実施の形態において、牽引部材４の基端側は直接ビニールハウスの骨組に巻きつけたり、フックを介して結合したりするのが好ましい。
【００３７】
例えば、骨組を構成する棟木たるパイプ６Ａを連結部材６として利用し、これに直接又は他のフック等の金具を介して着脱自在に結合すのが好ましい。
【図面の簡単な説明】
【００３８】
【図１】本考案に係わる換気装置の一部切欠き斜視図である。
【図２】（Ａ）開いた状態の図１の縦断側面図である。
【００３９】
（Ｂ）閉じた状態の図１の縦断側面図である。
【図３】一実施の形態に係わる牽引部材の斜視図である。
【図４】図３の一部拡斜視図である。
【図５】他の実施の形態に係る換気装置の部分拡大斜視図である。
【図６】図５の分解拡大斜視図である。
【図７】他の実施の形態に係わる牽引部材の斜視図である。
【図８】他の実施の形態に係わる牽引部材の斜視図である。
【符号の説明】
【００４０】
Ａ  ビニールハウス
Ｂ  開口部
１  開口枠
２  窓枠
３  防虫網
４  牽引部材
５  連結部材
６  取付け部材
【図１】
0003124050.tif 000003
【図２】
0003124050.tif 000004
【図３】
0003124050.tif 000005
【図４】
0003124050.tif 000006
【図５】
0003124050.tif 000007
【図６】
0003124050.tif 000008
【図７】
0003124050.tif 000009
【図８】
0003124050.tif 000010